(57)【要約】【課題】簡単な構成でアイキャッチ性のある立体的な告知媒体を提供すること。【解決手段】告知媒体１０は、中央側に切込部が形成された板状の本体部１１と、左側端に第一係止片を有して本体部１１の左側端から延設される第一側片部１２ａと、右側端に第二係止片を有して本体部１１の右側端から延設される第二側片部１２ｂと、を備える。第一側片部１２ａは、本体部１１の表面側に折り曲げられて、第一係止片を切込部に挿入し、第二側片部１２ｂは、本体部１１の裏面側に折り曲げられて、第二係止片を切込部に挿入する。【選択図】  図１
2018054795.tif 000002
【特許請求の範囲】
【請求項１】
中央側に切込部が形成された板状の本体部と、
左側端に第一係止片を有して前記本体部の左側端から延設される第一側片部と、
右側端に第二係止片を有して前記本体部の右側端から延設される第二側片部と、
を備え、
前記第一側片部は、前記本体部の表面側に折り曲げられて、前記第一係止片を前記切込部に挿入し、
前記第二側片部は、前記本体部の裏面側に折り曲げられて、前記第二係止片を前記切込部に挿入する、
ことを特徴とする告知媒体。
【請求項２】
前記切込部は、前記第一側片部側の第一切込部、及び、前記第二側片部側の第二切込部を含み、
前記第一係止片は前記第二切込部に挿入され、
前記第二係止片は前記第一切込部に挿入される、
ことを特徴とする請求項１に記載の告知媒体。
【請求項３】
前記第一側片部の左右幅は、前記第一側片部と前記本体部との間の境界部から、前記第二切込部までの長さよりも広く形成され、
前記第二側片部の左右幅は、前記第二側片部と前記本体部との間の境界部から、前記第一切込部までの長さよりも広く形成される、
ことを特徴とする請求項２に記載の告知媒体。
【請求項４】
前記本体部の下端において、前記第一側片部側に延設される第一脚片部と、前記第二側片部側に延設される第二脚片部とを備え、
前記第一脚片部は裏面側に折り曲げられ、
前記第二脚片部は表面側に折り曲げられる、
ことを特徴とする請求項１乃至請求項３の何れかに記載の告知媒体。
【請求項５】
前記第一側片部及び前記第二側片部のそれぞれの上端から接続片を介して延設された上底片を有し、
前記上底片は、前記第一係止片及び前記第二係止片が前記切込部に挿入される際、前記本体部側に折り曲げられる、
ことを特徴とする請求項１乃至請求項４の何れかに記載の告知媒体。
【請求項６】
前記第一側片部及び前記第二側片部は、上下方向に形成された二つの折り曲げ部を有することを特徴とする請求項１乃至請求項５の何れかに記載の告知媒体。
【請求項７】
前記第二側片部には、表面側に告知情報が表示され、
前記第一側片部には、裏面側に告知情報が表示され、
前記本体部には、両面に告知情報が表示される、
ことを特徴とする請求項１乃至請求項６の何れかに記載の告知媒体。
【発明の詳細な説明】
【技術分野】
【０００１】
本発明は、シート状物から組み立てる告知媒体に関する。
【背景技術】
【０００２】
従来から、飲食店や小売店舗等で商品の情報を提供するために、告知情報が印刷されたシートを折り曲げて立体形状とした広告媒体が提案されている。例えば、特許文献１には、一枚のシートを横幅方向に角度折りするための縦折目線が設けられてなる広告宣伝媒体が開示されている。この広告宣伝媒体は、縦折目線で山折りしたシート同士を重ね合わせた上側シート片の差込用片を下側シート片の切り込みに差し込むことで、上側シート片が下側シート片の表面上から起伏して曲面状態となる。
【０００３】
このような広告宣伝媒体は、店頭に来た広範囲な場所にいる顧客に対しても広告宣伝を行うことができるという効果があり、更に、簡単な構造で、従来よりも安いコストにより広告宣伝効果を期待できるという効果があるとしている。
【先行技術文献】
【特許文献】
【０００４】
【特許文献１】実用新案登録第３１１９２７１号
【発明の概要】
【発明が解決しようとする課題】
【０００５】
しかしながら、特許文献１の広告宣伝媒体では、起伏した曲面状態の上側シート片が片面のみに形成される。そのため、上側シート片の差込用片の先端は下側シート片の裏面側に貫通して現れて、電車内の中吊り広告等のような様々な角度から視認される用途には見栄えが悪いために不向きである。また、広告宣伝媒体の裏面側には立体構造が形成されずに平面状となり、両面にアイキャッチ性のある立体広告を設けることが難しい。
【０００６】
本発明は、以上の点に鑑み、簡単な構成でアイキャッチ性のある立体的な告知媒体を提供することを目的とする。
【課題を解決するための手段】
【０００７】
本発明の告知媒体は、中央側に切込部が形成された板状の本体部と、左側端に第一係止片を有して前記本体部の左側端から延設される第一側片部と、右側端に第二係止片を有して前記本体部の右側端から延設される第二側片部と、を備え、前記第一側片部は、前記本体部の表面側に折り曲げられて、前記第一係止片を前記切込部に挿入し、前記第二側片部は、前記本体部の裏面側に折り曲げられて、前記第二係止片を前記切込部に挿入する、ことを特徴とする告知媒体。
【発明の効果】
【０００８】
本発明によれば、告知媒体は、第一側片部が本体部の表面側に折り曲げられて第一係止片を切込部に挿入し、第二側片部が本体部の裏面側に折り曲げられて第二係止片を切込部に挿入して、両面に立体構造を形成する。従って、簡単な構成でアイキャッチ性のある立体的な告知媒体を形成することができる。
【図面の簡単な説明】
【０００９】
【図１】本発明の実施形態１に係る組み立て後の告知媒体の斜視図である。
【図２】本発明の実施形態１に係る告知媒体を展開させた、図柄等の告知情報を省略して示す平面図である。
【図３】本発明の実施形態１に係る告知媒体の図１におけるＩＩＩ−ＩＩＩ断面図である。
【図４】本発明の実施形態２に係る組み立て後の告知媒体の斜視図である。
【図５】本発明の実施形態２に係る告知媒体を展開させた、図柄等の告知情報を省略して示す平面図である。
【図６】本発明の実施形態３に係る組み立て後の告知媒体の斜視図である。
【図７】本発明の実施形態３に係る告知媒体を展開させた、図柄等の告知情報を省略して示す平面図である。
【発明を実施するための形態】
【００１０】
（実施形態１）
まず、本発明の実施形態１を図に基づいて説明する。図１は、告知媒体１の斜視図で、ある。告知媒体１は、飲食店、小売店舗等における机や棚等の平面上に設置され、利用者に商品広告等の告知情報を提供するために用いられる。告知媒体１は、紙や樹脂製フィルム等の柔軟性のある一枚のシート状物を組み立てることによって形成される。また、告知媒体１は、薄板状にして柔軟性を持たせた金属板等によって組み立ててもよい。
【００１１】
図２は、告知媒体１の展開図である。告知媒体１は、本体部１１、側片部１２、及び脚片部１３を有する。なお、本実施形態の説明では、本体部１１の脚片部１３が設けられる側を下、その反対側を上とする。また、図２の左側である第一側片部１２ａ側を左、第二側片部１２ｂ側を右とし、図２の告知媒体１の手前側を表、その反対側を裏とする。また、図２の展開図では、告知媒体１に表示される図柄等の告知情報を省略して示している。
【００１２】
本体部１１は、略長方形の板状に形成される。本体部１１は、中央側において、上下方向の直線状に形成された第一切込部１１１ａ及び第二切込部１１１ｂを有する。第一切込部１１１ａは第一側片部１２ａのある左側に配置され、第二切込部１１１ｂは第二側片部１２ｂのある右側に配置される。また、第一切込部１１１ａの上端及び下端には、第二切込部１１１ｂ側に斜めに傾斜した傾斜切込部ｃ１が形成される。第二切込部１１１ｂの上端及び下端にも、第一切込部１１１ａ側に斜めに傾斜した傾斜切込部ｃ１が形成される。
【００１３】
本体部１１の左側端側には、境界部ｂ１を介して第一側片部１２ａが延設される。第一側片部１２ａは、飲料用瓶容器の形状を模しており、上端が徐々に細くなるネック部１２２を有している。第一側片部１２ａの左右幅（図２の第一係止片１２１ａと第一側片部１２ａとの境界部ａ１から、境界部ｂ１までの幅）は、境界部ｂ１から第二切込部１１１ｂまでの長さよりも、広く形成される。第一側片部１２ａは、本体部１１側と対向する左側端部に第一係止片１２１ａを有する。第一係止片１２１ａは、第一側片部１２ａと接続される基端側を下底、その反対側を上底とする略等脚台形状に形成される。第一係止片１２１ａは、等脚台形状の脚部に相当する部分のうちの基端側に２つの切欠部ｃ２を有する。切欠部ｃ２は、互いの方向に向かって第一係止片１２１ａの中央側に切り返されるようにＶ字状に形成される。
【００１４】
本体部１１の右側端側には、境界部ｂ２を介して第二側片部１２ｂが延設される。第二側片部１２ｂも第一側片部１２ａと同様に、上端が徐々に細くなるネック部１２２を有している。第二側片部１２ｂの左右幅（図２の第二係止片１２１ｂと第二側片部１２ｂとの境界部ａ１から、境界部ｂ２までの幅）は、境界部ｂ２から第一切込部１１１ａまでの長さよりも広く形成される。第二側片部１２ｂは、本体部１１側と対向する右側端部に第二係止片１２１ｂを有する。第二係止片１２１ｂは、第二側片部１２ｂと接続される基端側を下底、その反対側を上底とする略等脚台形状に形成される。第二係止片１２１ｂは、第一係止片１２１ａと同様に、等脚台形状の脚部に相当する部分のうちの基端側に２つの切欠部ｃ２を有する。切欠部ｃ２は、互いの方向に向かって第二係止片１２１ｂの中央側に切り返されるようにＶ字状に形成される。
【００１５】
本体部１１の下端からは、第一脚片部１３ａ及び第二脚片部１３ｂが間隔を空けて下方に延設される。第一脚片部１３ａの左右幅は、第一切込部１１１ａから境界部ｂ１に亘る長さで形成される。第二脚片部１３ｂの左右幅も、第二切込部１１１ｂから境界部ｂ２に亘る長さで形成される。第一脚片部１３ａと本体部１１との境界部ｂ３上、及び第二脚片部１３ｂと本体部１１との境界部ｂ３上には、それぞれ直線状の切込部ｃ３が二つずつ形成される。この切込部ｃ３により、第一脚片部１３ａ及び第二脚片部１３ｂは、表側又は裏側へ容易に折り曲げることができる。
【００１６】
第一脚片部１３ａの第一側片部１２ａ側の先端角部はＲ面取り状に形成される。また、第二脚片部１３ｂの第二側片部１２ｂ側の先端角部もＲ面取り状に形成される。
【００１７】
つぎに、告知媒体１の組み立て状態について図１〜図３を用いて説明する。図２に示した第一側片部１２ａは、境界部ｂ１を折り曲げ部として谷折りされ、本体部１１の表面側に折り曲げられる。図３は、図１に示す組み立て後の告知媒体１のＩＩＩ−ＩＩＩ断面図である。表面側に折り曲げられた第一側片部１２ａの第一係止片１２１ａは、本体部１１の第二切込部１１１ｂに表側から挿入される。これにより、第一側片部１２ａの折り曲げ状態が維持される。このとき、第一側片部１２ａの左右幅が、境界部ｂ１から第二切込部１１１ｂまでの長さより長いため、図３に示すように、第一側片部１２ａは、本体部１１の表面側へ凸円弧状に起伏した状態に維持される。
【００１８】
第二切込部１１１ｂには、傾斜切込部ｃ１が両端に設けられたため、上下方向に幅広の凸状の切込縁部ｄ１が形成される。図３に示す様に、第二切込部１１１ｂの切込縁部ｄ１は、第一係止片１２１ａの差込み方向である本体部１１の裏面側に湾曲するため、第二切込部１１１ｂの開口幅を大きくして第一係止片１２１ａを容易に挿入させることができる。
【００１９】
一方、第二側片部１２ｂは、第一側片部１２ａと表裏逆に組み立てられる。すなわち、第二側片部１２ｂは、境界部ｂ２を折り曲げ部として山折りされ、本体部１１の裏面側に折り曲げられる。図３に示すように、裏面側に折り曲げられた第二側片部１２ｂの第二係止片１２１ｂは、本体部１１の第一切込部１１１ａに裏側から挿入される。これにより、第二側片部１２ｂの折り曲げ状態が維持される。第二側片部１２ｂも第一側片部１２ａと同様に、本体部１１の裏面側へ凸円弧状に起伏した状態に維持される。
【００２０】
また、第二切込部１１１ｂの切込縁部ｄ１と同様、第一切込部１１１ａの切込縁部ｄ１は、第二係止片１２１ｂの差込み方向である本体部１１の表面側に湾曲するため、第一切込部１１１ａの開口幅を大きくして第二係止片１２１ｂを容易に挿入させることができる。
【００２１】
第一係止片１２１ａは、第一係止片１２１ａの切欠部ｃ２が第二切込部１１１ｂの傾斜切込部ｃ１付近の縁部に裏面側から掛合して、第二切込部１１１ｂから抜けることが防止される。また、第二係止片１２１ｂは、第二係止片１２１ｂの切欠部ｃ２が第一切込部１１１ａの傾斜切込部ｃ１付近に表面側から掛合して、第一切込部１１１ａから抜けることが防止される。
【００２２】
以上、図３に示したように、二つある第一切込部１１１ａと第二切込部１１１ｂのうち、第一係止片１２１ａは第一側片部１２ａから遠い方の第二切込部１１１ｂに挿入され、第二係止片１２１ｂは第二側片部１２ｂから遠い方の第一切込部１１１ａに挿入される。そのため、挿入後の第一係止片１２１ａの先端は本体部１１と湾曲固定された第二側片部１２ｂとの間に位置して外部から隠れるようになり、挿入後の第二係止片１２１ｂの先端も本体部１１と湾曲固定された第一側片部１２ａとの間に位置して外部から隠れるようになる。よって、告知媒体１を多角度から視認しても係止片１２１ａ，１２１ｂの先端が見えずに立体広告を見栄え良くすることができる。
【００２３】
告知媒体１の表面及び裏面には、広告等の告知情報が印刷や貼着などにより表示される。図２の本実施形態の告知媒体１の例では、第二側片部１２ｂには表面側に告知情報が表示され、第一側片部１２ａには裏面側に告知情報が表示される。また、本体部１１には、両面に告知情報が表示される。したがって、図１の状態となるように第一側片部１２ａと第二側片部１２ｂを組み立てると、本体部１１の両面に立体形状によって告知情報が表示された告知媒体１を形成することができる。
【００２４】
なお、図２に示す本体部１１には、表面及び裏面の全面に告知情報に関する内容が印刷等により表示されていることが望ましい。これにより、図１のように組み立てた状態で上又は下方向から告知媒体１を見た場合であっても、第一側片部１２ａ又は第二側片部１２ｂに覆われた通常は視認し難い本体部１１の部分に文字や図柄等の告知情報と関連の有る内容を表示させて、告知媒体１を見栄え良くすることができる。
【００２５】
また、本実施形態の告知媒体１は、表裏対称に形成され、表面及び裏面に同一の告知情報が表示されるが、表面及び裏面に異なる告知情報を表示してもよい。
【００２６】
また、折り曲げ部となる境界部ｂ３は、第一側片部１２ａ及び第二側片部１２ｂの下端１２３と略直線状に形成される。また、下端１２３と境界部ｂ３は、境界部ｂ１，ｂ２と略直角に形成される。そのため、告知媒体１を図１の組み立て状態とすると下端１２３と境界部ｂ３は略同一平面上に形成される。
【００２７】
（実施形態２）
つぎに、実施形態２について説明する。図４は、実施形態２に係る組み立て後の告知媒体１Ａの斜視図である。また、図５は、実施形態２に係る告知媒体１Ａを展開させた平面図である。なお、本実施形態の説明において、実施形態１の告知媒体１と同様の構成については、同一の符号を付してその説明を省略又は簡略化する。
【００２８】
図５において、第一側片部１２ａＡ及び第二側片部１２ｂＡは、略矩形状に形成される。第一側片部１２ａＡ及び第二側片部１２ｂＡの上部の左右角部には、それぞれ切欠部ｃ４が形成される。第一側片部１２ａＡ及び第二側片部１２ｂＡの本体部１１から遠い側の切欠部ｃ４は、凹湾曲状に形成される。第一側片部１２ａＡの本体部１１に近い側の切欠部ｃ４は、略Ｖ字形状であり、第一側片部１２ａＡ側の縁部が凹湾曲状となるように形成される。同様に、第二側片部１２ｂＡの本体部１１に近い側の切欠部ｃ４も、略Ｖ字形状であり、第二側片部１２ｂＡ側の縁部が凹湾曲状となるように形成される。
【００２９】
第一側片部１２ａＡ及び第二側片部１２ｂＡの上端１２４には、帯状の接続片１２５を介して上底片１２６が延設される。第一側片部１２ａＡと接続片１２５との境界部ｂ４、及び接続片１２５と上底片１２６との境界部ｂ５は折り曲げ部として利用される。同様に、第二側片部１２ｂＡと接続片１２５との境界部ｂ４、及び接続片１２５と上底片１２６との境界部ｂ５は折り曲げ部として利用される。
【００３０】
上底片１２６の下端１２７は、凸円弧状に湾曲形成される。また、上底片１２６の上部は左右方向に直線状の屈曲部ｂ６を有した矩形状に形成されている。図５の展開図において、第一側片部１２ａＡに接続される上底片１２６は、境界部ｂ４が谷折りされ、境界部ｂ５が山折りされる。また、屈曲部ｂ６は谷折りされる。
【００３１】
上底片１２６は、第一側片部１２ａＡが湾曲状態で固定されると（図４参照）、その下端１２７が第一側片部１２ａＡの湾曲内面に沿うように接して、円柱の上底部となる。また、上底片１２６により形成される上底部は、第一側片部１２ａＡの上端１２４から、境界部ｂ４と境界部ｂ５との長さ分だけ下方に凹んで形成される。
【００３２】
図４の組み立て状態において、下方に折り込まれる上底片１２６の折込部１２８は、本体部１１に近接又は当接する。屈曲部ｂ６による折り曲げ角度を緩くした場合、図５の折込部１２８の上側端辺部分が本体部１１を押して第一側片部１２ａの上端１２４付近を本体部１１から離れる方向に付勢するため、図４の屈曲状態で固定される第一側片部１２ａを円柱の側面部分の形状となるように形良く維持させることができる。
【００３３】
なお、図４には示されないが、第一側片部１２ａＡと同様に、第二側片部１２ｂＡも裏側に折り返されて円柱の側面部分の形状となるように形成される。
【００３４】
このように構成された告知媒体１Ａは、円柱形状の立体の一部が本体部１１の表裏の各側に起伏しているように形成されるため、例えば、３５０ｍｌの飲料用缶容器を模した立体広告として表示させることができる。また、告知媒体１は、上底片１２６を本体部１１側に折り曲げることにより飲料用缶容器の上蓋部を表現することができる。
【００３５】
実施形態１と同様に、告知媒体１Ａは、図５の第二側片部１２ｂＡには表面側に告知情報が表示され、第一側片部１２ａＡには裏面側に告知情報が表示される。また、本体部１１には、両面に告知情報が表示される。
【００３６】
（実施形態３）
つぎに、実施形態３について説明する。図６は、実施形態３に係る組み立て後の告知媒体１Ｂを示す斜視図である。また、図７は、実施形態３に係る告知媒体１Ｂを展開させた平面図である。なお、本実施形態の説明において、実施形態１の告知媒体１と同様の構成については、同一の符号を付してその説明を省略又は簡略化する。
【００３７】
図７において、第一側片部１２ａＢは、上下方向に形成された、本体部１１側の屈曲部ｂ７と第一係止片１２１ａ側（換言すれば本体部１１から遠い側）の屈曲部ｂ８とを備える。第一側片部１２ａＢの屈曲部ｂ７，ｂ８は、いずれも図７の紙面に対して谷折りされる。そして、第一側片部１２ａＢが境界部ｂ１により表面側に折り返されて第一係止片１２１ａが第二切込部１１１ｂに表面側から挿入され、図６に示すように立体形状が形成される。
【００３８】
同様に、第二側片部１２ｂＢは、上下方向に形成された、本体部１１側の屈曲部ｂ７と第二係止片１２１ｂ側（換言すれば本体部１１から遠い側）の屈曲部ｂ８とを備える。第二側片部１２ｂの屈曲部ｂ７，ｂ８は、いずれも図７の紙面に対して山折りされる。そして第二側片部１２ｂＢが境界部ｂ２により裏面側に折り返されて第二係止片１２１ｂが第一切込部１１１ａに裏面側から挿入され、立体形状が形成される。
【００３９】
よって、本実施形態の告知媒体１Ｂは、四角柱状の立体構造の一部が本体部１１の表裏の各側に突出しているように形成されるため、例えば、角柱状の飲料用瓶容器を模した立体広告として表示させることができる。また、第一側片部１２ａＢ及び第二側片部１２ｂＢの上方には、屈曲部ｂ７と屈曲部ｂ８の幅よりも狭い幅で上方に延設されたネック部１２９が形成される。ネック部１２９は、円柱状瓶容器のネックを模しており左右両辺に設けられる凹凸によってネックに形成される複数のくびれを表現することができる。
【００４０】
実施形態１と同様に、告知媒体１Ｂは、図７の第二側片部１２ｂＢには表面側に告知情報が表示され、第一側片部１２ａＢには裏面側に告知情報が表示される。また、本体部１１には、両面に告知情報が表示される。
【００４１】
以上、本発明の実施形態を説明したが、本発明は以上の実施形態によって限定されることはなく、種々の変更を加えて実施することができる。例えば、告知媒体１，１Ａ，１Ｂは、本体部１１の上方部分に取付部を設け、この取付部によって上方から吊支する構造としてもよい。取付部は、紐や突起物を挿通させる孔部としたり、フック等の別体を貼着する等して設けることができる。よって、告知媒体１，１Ａ，１Ｂは、平面上に載置して設置することに限らず天井、壁面、柱等に吊支したり貼着して設置することができる。また、このような場合、告知媒体１，１Ａ，１Ｂは、転倒することが無いため、転倒を防止する第一脚片部１３ａ及び第二脚片部１３ｂの構成を省略することができる。
【００４２】
また、各実施形態の告知媒体１，１Ａ，１Ｂは、本体部１１の左右に側片部（第一側片部１２ａ，１２ａＡ，１２ａＢ及び第二側片部１２ｂ，１２ｂＡ，１２ｂＢ）を一つずつ備えたが、左右の各々に側片部を二つ以上備える構成としてもよい。その場合、片側の側片部は例えば上下に設け、各側片部が異なる形状の立体広告物を表示するように本体部１１の切込部に挿入する構造とすることができる。
【００４３】
また、本実施形態では、第一側片部１２ａ，１２ａＡ，１２ａＢと第二側片部１２ｂ，１２ｂＡ，１２ｂＢの形状を同じものとして本体部１１の表裏で同様の告知情報を表示させる構成としたが、第一側片部１２ａ，１２ａＡ，１２ａＢと第二側片部１２ｂ，１２ｂＡ，１２ｂＢの形状を実施形態１から実施形態３の何れかを組み合わせる等して、表裏で異なる告知情報を表示させてもよい。
【００４４】
また、本体部１１には、第一切込部１１１ａと第二切込部１１１ｂの二つを設けたが、一つの切込部を設ける構成としてもよい。この場合、その一つの切込部に対し、第一係止片１２１ａは本体部１１の表面側から挿入され、第二係止片１２１ｂは本体部１１の裏面側から挿入される。第二係止片１２１ｂは、第一係止片１２１ａよりも第一側片部１２ａ，１２ａＡ，１２ａＢ側へ挿入される。これにより、第一係止片１２１ａ及び第二係止片１２１ｂの先端が外部から視認しにくくなり、切込部の構成を簡易にするとともに見栄えのよい告知媒体１，１Ａ，１Ｂを形成することができる。
【符号の説明】
【００４５】
１，１Ａ，１Ｂ  告知媒体
１１    本体部                            １２    側片部
１２ａ，１２ａＡ，１２ａＢ  第一側片部
１２ｂ，１２ｂＡ，１２ｂＢ  第二側片部
１３    脚片部                            １３ａ  第一脚片部
１３ｂ  第二脚片部
１１１ａ  第一切込部                      １１１ｂ  第二切込部
１２１ａ  第一係止片                      １２１ｂ  第二係止片
１２２  ネック部                          １２３  下端
１２４  上端                              １２５  接続片
１２６  上底片                            １２７  下端
１２８  折込部                            １２９  ネック部
ａ１    境界部                            ｂ１〜ｂ５  境界部
ｂ６〜ｂ８  屈曲部                        ｃ１    傾斜切込部
ｃ２〜ｃ４  切欠部                        ｄ１    切込縁部
【図１】
2018054795.tif 000003
【図２】
2018054795.tif 000004
【図３】
2018054795.tif 000005
【図４】
2018054795.tif 000006
【図５】
2018054795.tif 000007
【図６】
2018054795.tif 000008
【図７】
2018054795.tif 000009